(57)【要約】【課題】装置本体周辺の音声の大きさが、所定の閾値を超えたときに、サブタイトルを自動的に表示することができ、しかも、音声の言語とは異なる言語のサブタイトルが表示されてしまうことを防ぐ。【解決手段】装置本体周辺の音声の大きさが、所定の閾値を超えたと判定した場合には（Ｓ３でＹＥＳ）、ＴＶ受像機のＣＰＵ２は、データストリームに含まれるサブタイトルの中に、音声言語と同じ言語のサブタイトルが存在するか否かを判定する（Ｓ４）。この結果、同じ言語のサブタイトルが存在する場合には（Ｓ４でＹＥＳ）、ＴＶ受像機のＣＰＵ２は、音声言語と同じ言語のサブタイトルを液晶表示パネルに自動的に表示し（Ｓ５）、逆に、音声言語と同じ言語のサブタイトルが存在しない場合には（Ｓ４でＮＯ）、サブタイトルを液晶表示パネルに表示しない（Ｓ６）。【選択図】図２
2012204988.tif 000002
【特許請求の範囲】
【請求項１】
ディジタルテレビジョン放送についての音声言語の設定情報を記憶した音声言語設定情報記憶手段と、
前記ディジタルテレビジョン放送のトランスポートストリームを受信する放送受信手段と、
前記放送受信手段により受信したディジタルテレビジョン放送のトランスポートストリームに基づく映像を表示する表示手段と、
前記放送受信手段により受信したディジタルテレビジョン放送のトランスポートストリームに基づいて、前記音声言語設定情報記憶手段に記憶した設定情報に対応した音声言語の音声を出力するスピーカと、
装置本体周辺の音声の大きさが、所定の閾値を超えたか否かを判定する音声レベル判定手段とを備えたテレビジョン受像機において、
前記音声レベル判定手段によって、前記音声の大きさが所定の閾値を超えたと判定されたときに、前記トランスポートストリームに含まれるサブタイトルの中に、前記音声言語設定情報記憶手段に記憶された設定情報に対応した音声言語と同じ言語のサブタイトルが存在するか否かを判定するサブタイトル有無判定手段と、
前記サブタイトル有無判定手段によって、音声言語と同じ言語のサブタイトルが存在すると判定されたときに、この音声言語と同じ言語のサブタイトルを前記表示手段に自動的に表示し、音声言語と同じ言語のサブタイトルが存在しないと判定されたときに、サブタイトルを前記表示手段に表示しないように制御する表示制御手段とをさらに備えたことを特徴とするテレビジョン受像機。
【請求項２】
前記サブタイトル有無判定手段は、前記トランスポートストリームに含まれる現在のチャンネルのサブタイトルの言語の種類のデータに基づいて、前記トランスポートストリームに含まれるサブタイトルの中に、前記音声言語設定情報記憶手段に記憶された設定情報に対応した音声言語と同じ言語のサブタイトルが存在するか否かを判定することを特徴とする請求項１に記載のテレビジョン受像機。
【請求項３】
前記表示制御手段による、前記音声言語と同じ言語のサブタイトルを前記表示手段に自動的に表示する機能のオン／オフを切り換えるサブタイトル自動表示機能切換手段をさらに備えたことを特徴とする請求項１又は請求項２に記載のテレビジョン受像機。
【発明の詳細な説明】
【技術分野】
【０００１】
本発明は、ディジタルテレビジョン放送のトランスポートストリームを受信して、受信したトランスポートストリームに基づき、映像と音声を出力するテレビジョン受像機に関する。
【背景技術】
【０００２】
従来から、テレビジョン受像機の分野において、装置本体周辺の音声（主に騒音）の大きさが、所定の閾値を超えたときに、字幕を表示装置に自動表示するものが知られている（例えば、特許文献１乃至５参照）。
【０００３】
ところで、ディジタルテレビジョン放送では、トランスポートストリームの中に、従来の字幕に相当するサブタイトルのデータを含んでいる。ここで、サブタイトルとは、広義の字幕のうち、音声の内容を（必要なら翻訳して）文字にしたものである。上記特許文献１乃至５に記載された字幕の自動表示機能を、ディジタルテレビジョン放送対応のテレビジョン受像機に適用することにより、装置本体周辺の音声の大きさが、所定の閾値を超えたときに、サブタイトルを表示装置に自動表示することが可能である。
【先行技術文献】
【特許文献】
【０００４】
【特許文献１】特開２００８−２５２７４６号公報
【特許文献２】特開２００４−３０４５３１号公報
【特許文献３】特開２００５−６４５９９号公報
【特許文献４】特開２００８−３００９０２号公報
【特許文献５】特開２００５−３３３１９１号公報
【発明の概要】
【発明が解決しようとする課題】
【０００５】
ところが、上記従来の特許文献１乃至５に記載された字幕の自動表示機能を、ディジタルテレビジョン放送対応のテレビジョン受像機に適用した場合には、以下の問題が生じる。すなわち、ヨーロッパ等の多言語のディジタルテレビジョン放送を受信可能な地域において、テレビジョン受像機が、多言語に対応したディジタルテレビジョン放送のトランスポートストリームを受信しているときに、装置本体周辺の音声の大きさが、所定の閾値を超えると、スピーカから出力されている音声の言語とは異なる言語のサブタイトルが表示されてしまう場合が生じ得る。これは、多言語に対応したディジタルテレビジョン放送のトランスポートストリームに、ユーザ所望の言語（主に母国語）の音声ストリームが含まれている場合でも、上記のトランスポートストリームに、ユーザ所望の言語のサブタイトルのデータが含まれているとは限らないからである。
【０００６】
本発明は、上記課題を解決するものであり、装置本体周辺の音声の大きさが、所定の閾値を超えたときに、サブタイトルを自動的に表示することができ、しかも、多言語に対応したディジタルテレビジョン放送のトランスポートストリームを受信しているときでも、スピーカから出力されている音声の言語とは異なる言語のサブタイトルが表示されてしまうことを防ぐことが可能なテレビジョン受像機を提供することを目的とする。
【課題を解決するための手段】
【０００７】
上記課題を解決するために、請求項1の発明は、ディジタルテレビジョン放送についての音声言語の設定情報を記憶した音声言語設定情報記憶手段と、前記ディジタルテレビジョン放送のトランスポートストリームを受信する放送受信手段と、前記放送受信手段により受信したディジタルテレビジョン放送のトランスポートストリームに基づく映像を表示する表示手段と、前記放送受信手段により受信したディジタルテレビジョン放送のトランスポートストリームに基づいて、前記音声言語設定情報記憶手段に記憶した設定情報に対応した音声言語の音声を出力するスピーカと、装置本体周辺の音声の大きさが、所定の閾値を超えたか否かを判定する音声レベル判定手段とを備えたテレビジョン受像機において、前記音声レベル判定手段によって、前記音声の大きさが所定の閾値を超えたと判定されたときに、前記トランスポートストリームに含まれるサブタイトルの中に、前記音声言語設定情報記憶手段に記憶された設定情報に対応した音声言語と同じ言語のサブタイトルが存在するか否かを判定するサブタイトル有無判定手段と、前記サブタイトル有無判定手段によって、音声言語と同じ言語のサブタイトルが存在すると判定されたときに、この音声言語と同じ言語のサブタイトルを前記表示手段に自動的に表示し、音声言語と同じ言語のサブタイトルが存在しないと判定されたときに、サブタイトルを前記表示手段に表示しないように制御する表示制御手段とをさらに備えたものである。
【０００８】
請求項２の発明は、請求項１に記載のテレビジョン受像機において、前記サブタイトル有無判定手段は、前記トランスポートストリームに含まれる現在のチャンネルのサブタイトルの言語の種類のデータに基づいて、前記トランスポートストリームに含まれるサブタイトルの中に、前記音声言語設定情報記憶手段に記憶された設定情報に対応した音声言語と同じ言語のサブタイトルが存在するか否かを判定するものである。
【０００９】
請求項３の発明は、請求項１又は請求項２に記載のテレビジョン受像機において、前記表示制御手段による、前記音声言語と同じ言語のサブタイトルを前記表示手段に自動的に表示する機能のオン／オフを切り換えるサブタイトル自動表示機能切換手段をさらに備えたものである。
【発明の効果】
【００１０】
請求項１の発明によれば、装置本体周辺の音声の大きさが所定の閾値を超えたときに、トランスポートストリームに含まれるサブタイトルの中に、音声言語（スピーカから出力されている音声の言語）と同じ言語のサブタイトルが存在する場合には、この音声言語と同じ言語のサブタイトルが表示手段に自動的に表示され、逆に、音声言語と同じ言語のサブタイトルが存在しない場合には、サブタイトルが表示手段に表示されない。従って、多言語に対応したディジタルテレビジョン放送のトランスポートストリームを受信しているときでも、音声言語（スピーカから出力されている音声の言語）とは異なる言語のサブタイトルが表示手段に表示されてしまうことを防ぐことができる。
【００１１】
また、請求項２の発明によれば、トランスポートストリームに含まれる現在のチャンネルのサブタイトルの言語の種類のデータに基づいて、トランスポートストリームに含まれるサブタイトルの中に、設定情報に対応した音声言語と同じ言語のサブタイトルが存在するか否かを判定するようにしたので、トランスポートストリームに含まれる現在のチャンネルのサブタイトルの中に、設定情報に対応した音声言語と同じ言語のサブタイトルが存在するか否かを確実に判定することができる。
【００１２】
また、請求項３の発明によれば、上記の音声言語と同じ言語のサブタイトルを表示手段に自動的に表示する機能のオン／オフを、ユーザが容易に切り換えることができる。
【図面の簡単な説明】
【００１３】
【図１】本発明の一実施形態に係るＴＶ受像機の電気的ブロック構成図。
【図２】同ＴＶ受像機のサブタイトル自動表示処理のフローチャート。
【図３】ディジタルテレビジョン放送のトランスポートストリームに含まれるＰＭＴ中のサブタイトリング・デスクリプタのデータ・フォーマットを示す図。
【図４】（ａ）（ｂ）は、それぞれサブタイトル表示時と非表示時におけるＴＶ受像機の正面図。
【発明を実施するための形態】
【００１４】
以下、本発明の一実施形態について、図面を参照して説明する。本実施形態では、本発明のテレビジョン受像機が、ディジタルテレビジョン放送のサービス・番組情報用の規格であるＤＶＢ−ＳＩ（具体的には、ＥＴＳＩ  ＥＮ  ３００  ４６８）に準拠したディジタルテレビジョン放送の映像と音声を出力可能な液晶テレビジョン受像機（以下、ＴＶ受像機という）である場合の例について説明する。
【００１５】
図１は、本実施形態によるＴＶ受像機１の概略の電気的ブロック構成を示す。ＴＶ受像機１は、装置全体の制御を行うＣＰＵ２（音声レベル判定手段、サブタイトル有無判定手段、表示制御手段）と、装置本体周辺の音声を電気信号に変換するマイクロフォン３と、マイクロフォン３から出力された装置本体周辺の音声に応じた電気信号（以下、周辺音声信号という）を増幅するアンプ４と、アンプ４から出力されたアナログ信号の形式の周辺音声信号をディジタル信号に変換するＡ／Ｄコンバータ５とを備えている。
【００１６】
また、ＴＶ受像機１は、アンテナ３１を介してディジタルテレビジョン放送信号（トランスポートストリーム）を受信するためのチューナ６（放送受信手段）と、チューナ６で受信したトランスポートストリーム中のパケットをデコードすることにより、映像ストリーム、音声ストリーム、データストリームを生成するＭＰＥＧデコーダ７と、ＭＰＥＧデコーダ７で生成された映像ストリームに対して画像処理等の各種の処理を施して、これらの処理後の映像ストリームに基づく映像信号を再生する映像処理回路８と、この映像処理回路８により再生された映像信号に、サブタイトルを含む文字等のＯＳＤ（オンスクリーンディスプレイ）データの信号を重畳させるＯＳＤ部１０と、ＭＰＥＧデコーダ７で生成されたデータストリームに含まれる種々のデータ（サブタイトルのデータを含む）を抽出するデータ処理回路９とを備えている。ここで、サブタイトルとは、広義の字幕のうち、音声の内容を（必要なら翻訳して）文字にしたものである。
【００１７】
また、ＴＶ受像機１は、電極駆動回路１１と、液晶表示パネル１２（表示手段）とを備えている。電極駆動回路１１は、上記のＯＳＤ部１０から、サブタイトルを含む文字等のＯＳＤデータの信号を重畳させた映像信号、又はＯＳＤデータの信号を重畳させていない映像信号を受信して、受信した映像信号に基づいて、表示用電極を駆動することにより、液晶表示パネル１２に映像信号に基づく映像を表示する。
【００１８】
さらにまた、ＴＶ受像機１は、音声信号処理回路１３と、アンプ１４と、スピーカ１５とを備えている。音声信号処理回路１３は、ＭＰＥＧデコーダ７で生成された音声ストリームに対して音声処理等の各種の処理を施して、これらの処理後の音声ストリームに基づく音声信号を再生し、再生した音声信号をＤ／Ａ変換してアンプ１４に出力する。アンプ１４は、音声信号処理回路１３から出力されたアナログ信号の形式の音声信号を増幅して、スピーカ１５の駆動信号として出力する。
【００１９】
また、ＴＶ受像機１は、各種の制御用のプログラムやデータを記憶したメモリ１６（音声言語設定情報記憶手段）を有している。このメモリ１６に記憶されたプログラムには、図２に示されるサブタイトル自動表示処理を行うプログラムであるサブタイトル自動表示処理プログラム１７（以下、サブタイトル自動表示処理ＰＧという）が含まれている。また、メモリ１６に記憶されたデータには、（ディジタルテレビジョン放送についての）音声言語の設定情報である音声言語設定情報１８と、音声言語と同じ言語のサブタイトルを液晶表示パネル１２に自動的に表示する機能（サブタイトル自動表示機能）のオン／オフの設定状態を表すデータであるサブタイトル自動表示設定情報１９とが含まれている。
【００２０】
また、ＴＶ受像機１は、装置本体とは別体のリモートコントローラ（以下、リモコンと略す）２１と、このリモコン２１から送信されたリモートコントロール信号（以下、リモコン信号と略す）を受信するためのリモコン信号受信部２０とを有している。リモコン２１は、音声言語（スピーカ１５から出力されている音声の言語）と同じ言語のサブタイトルを液晶表示パネル１２に自動的に表示する機能（サブタイトル自動表示機能）のオン／オフを切り換えるための自動表示機能切換キー２２と、各種のメニューを表示するためのメニューキー２３と、十字キー２４と、決定キー２５とを有している。上記のサブタイトル自動表示機能のオン／オフの切り換えは、自動表示機能切換キー２２のみを用いて行うこともできるし、メニューキー２３を用いて自動表示機能設定メニューを表示した上で、十字キー２４と決定キー２５とを用いて行うこともできる。従って、自動表示機能切換キー２２だけではなく、メニューキー２３と十字キー２４と決定キー２５との組み合わせも、請求項におけるサブタイトル自動表示機能切換手段に相当する。これらのキーを用いたサブタイトル自動表示機能のオン／オフの切換操作により、サブタイトル自動表示設定情報１９の内容（サブタイトル自動表示機能のオン／オフの設定）が更新される。
【００２１】
次に、図２のフローチャートに加えて、図３及び図４（ａ）（ｂ）を参照して、本ＴＶ受像機１におけるサブタイトル自動表示処理について説明する。このサブタイトル自動表示処理は、ＴＶ受像機１のＣＰＵ２が、図１に示されるサブタイトル自動表示処理ＰＧ１７に基づいて行う。
【００２２】
図２のフローチャートに示されるように、ＴＶ受像機１の電源がオンにされて装置が起動すると（Ｓ１でＹＥＳ）、ＴＶ受像機１のＣＰＵ２は、メモリ１６に記憶されたサブタイトル自動表示設定情報１９を読み込んで、上記のサブタイトル自動表示機能がオンになっているか否かを判定する（Ｓ２）。そして、サブタイトル自動表示機能がオンになっている場合には（Ｓ２でＹＥＳ）、装置本体周辺の音声の大きさが、所定の閾値を超えたか否かを判定する（Ｓ３）。
【００２３】
上記Ｓ３の判定の結果、装置本体周辺の音声の大きさが、所定の閾値を超えたと判定した場合には（Ｓ３でＹＥＳ）、ＴＶ受像機１のＣＰＵ２は、ＭＰＥＧデコーダ７で生成されたデータストリームに含まれるサブタイトルの中に、メモリ１６に記憶された音声言語設定情報１８に対応した音声言語（スピーカ１５から出力される音声の言語）と同じ言語のサブタイトルが存在するか否かを判定する（Ｓ４）。具体的には、ディジタルテレビジョン放送のトランスポートストリームに含まれるＰＭＴ（Ｐｒｏｇｒａｍ  Ｍａｐ  Ｔａｂｌｅ）という、現在のチャンネルのコンポーネント情報テーブルに含まれるサブタイトルの言語の種類のデータ（図３中のサブタイトリング・デスクリプタ４１におけるＩＳＯ＿６３９＿ｌａｎｇｕａｇｅ＿ｃｏｄｅ４２（以下、「言語コードデータ４２」という）のこと）に基づいて、データストリームに含まれるサブタイトルの中に、音声言語設定情報１８に対応した音声言語と同じ言語のサブタイトルが存在するか否かを判定する。
【００２４】
上記Ｓ４の判定の結果、データストリームに含まれるサブタイトルの中に、音声言語と同じ言語のサブタイトルが存在すると判定した場合は（Ｓ４でＹＥＳ）、ＴＶ受像機１のＣＰＵ２は、データストリームに含まれるサブタイトルの中から、音声言語と同じ言語のサブタイトルを抽出して、図４（ｂ）に示されるように、抽出した（音声言語と同じ言語の）サブタイトル５１を液晶表示パネル１２に自動的に表示する（Ｓ５）。
【００２５】
これに対して、上記Ｓ４の判定の結果、データストリームに含まれるサブタイトルの中に、音声言語と同じ言語のサブタイトルが存在しないと判定した場合は（Ｓ４でＮＯ）、ＴＶ受像機１のＣＰＵ２は、図４（ａ）に示されるように、サブタイトル５１を液晶表示パネル１２に表示しない（Ｓ６）。また、上記Ｓ２の判定において、サブタイトル自動表示機能がオンになっていない場合（Ｓ２でＮＯ）、及び上記Ｓ３の判定において、装置本体周辺の音声の大きさが、所定の閾値を超えていないと判定した場合にも（Ｓ３でＮＯ）、ＴＶ受像機１のＣＰＵ２は、図４（ａ）に示されるように、サブタイトル５１を液晶表示パネル１２に表示しない（Ｓ６）。そして、ＴＶ受像機１のＣＰＵ２は、装置の電源がオフにされるまで、上記Ｓ２乃至Ｓ６の処理を繰り返す。なお、上記図４（ａ）（ｂ）では、音声言語及びサブタイトル５１が、いずれも英語である場合の例について示した。
【００２６】
上記のように、本実施形態のＴＶ受像機１によれば、装置本体周辺の音声の大きさが所定の閾値を超えたときに、トランスポートストリームに含まれるサブタイトルの中に、音声言語（スピーカ１５から出力されている音声の言語）と同じ言語のサブタイトルが存在する場合には、この音声言語と同じ言語のサブタイトル５１が液晶表示パネル１２に自動的に表示され、逆に、音声言語と同じ言語のサブタイトルが存在しない場合には、サブタイトル５１が液晶表示パネル１２に表示されない。従って、多言語に対応したディジタルテレビジョン放送のトランスポートストリームを受信しているときでも、音声言語（スピーカ１５から出力されている音声の言語）とは異なる言語のサブタイトル５１が液晶表示パネル１２に表示されてしまうことを防ぐことができる。
【００２７】
また、本実施形態のＴＶ受像機１によれば、トランスポートストリームに含まれる現在のチャンネルのサブタイトルの言語の種類のデータ（ＰＭＴ中の言語コードデータ４２（図３参照））に基づいて、トランスポートストリームに含まれるサブタイトルの中に、音声言語設定情報１８に対応した音声言語と同じ言語のサブタイトルが存在するか否かを判定するようにしたので、トランスポートストリームに含まれる現在のチャンネルのサブタイトルの中に、音声言語と同じ言語のサブタイトルが存在するか否かを確実に判定することができる。
【００２８】
また、本実施形態のＴＶ受像機１によれば、リモコン２１に自動表示機能切換キー２２を設けたことにより、上記のサブタイトル自動表示機能のオン／オフを、ユーザが容易に切り換えることができる。
【００２９】
なお、本発明は、上記実施形態の構成に限られず、発明の趣旨を変更しない範囲で種々の変形が可能である。例えば、上記実施形態では、本発明をＤＶＢ−ＳＩの規格に準拠したディジタルテレビジョン放送の映像と音声を出力可能なＴＶ受像機に適用した場合の例を示したが、本発明を、ＤＶＢ−ＳＩ以外の規格に準拠したディジタルテレビジョン放送の映像と音声を出力可能なＴＶ受像機に適用してもよい。また、上記実施形態では、本発明を液晶テレビジョン受像機に適用した場合の例を示したが、本発明の適用対象となるテレビジョン受像機は、これに限られず、例えば、プラズマディスプレイを用いたテレビジョン受像機であってもよいし、有機ＥＬディスプレイを用いたテレビジョン受像機であってもよい。また、上記実施形態では、本発明におけるサブタイトルが、日本の字幕に相当するタイプのものである場合の例を示したが、本発明におけるサブタイトルには、ディジタルテレビジョン放送における音声の内容を文字にした文字放送も含まれる。
【符号の説明】
【００３０】
１    ＴＶ受像機
２    ＣＰＵ（音声レベル判定手段、サブタイトル有無判定手段、表示制御手段）
６    チューナ（放送受信手段）
１２  液晶表示パネル（表示手段）
１５  スピーカ
１６  メモリ（音声言語設定情報記憶手段）
１８  音声言語設定情報
２２  自動表示機能切換キー（サブタイトル自動表示機能切換手段）
２３  メニューキー
２４  十字キー
２５  決定キー
４２  言語コードデータ（現在のチャンネルのサブタイトルの言語の種類のデータ）
５１  サブタイトル
【図１】
2012204988.tif 000003
【図２】
2012204988.tif 000004
【図３】
2012204988.tif 000005
【図４】
2012204988.tif 000006